(57)【特許請求の範囲】
【請求項１】
一方筐体と他方筐体とを互いに開閉自在に連結するとともに、前記一方筐体と前記他方筐体とに収容された電子部品同士を、開閉軸線の回りに巻回したフレキシブルケーブルを介して互いに接続した電子機器において、
前記フレキシブルケーブルが、前記開閉軸線に沿って延びる延在部と、前記延在部の一方側縁から前記開閉軸線に直交して延びるとともに前記延在部の周りに巻回される巻回部と、前記延在部の他方側縁から延びる舌片部とを有し、前記舌片部は縁部が傾斜した形状であり、巻回された前記巻回部の内周面に倣って前記舌片部を湾曲させつつ当接させたことを特徴とする電子機器。
【請求項２】
前記フレキシブルケーブルにおける前記舌片部を、前記巻回部が前記延在部から延びる方向と逆方向に沿って延びる態様で、前記巻回部の内周面に倣って湾曲させつつ当接させたことを特徴とする請求項１記載の電子機器。
【発明の詳細な説明】
【技術分野】
【０００１】
本発明は、一方筐体と他方筐体とを互いに開閉自在に連結するとともに、前記一方筐体と前記他方筐体とに収容された電子部品同士を、開閉軸線の回りに巻回したフレキシブルケーブルにより接続して成る電子機器に関し、詳しくはフレキシブルケーブルの形態に関するものである。
【背景技術】
【０００２】
例えば、電子機器の一例である携帯電話機には、使用時における使い易さと携帯時のコンパクト化とを両立させることを目的として、例えば正面に操作部を有する一方筐体と、正面に表示部を有する他方筐体とを、互いに開閉自在に連結するとともに、一方筐体と他方筐体とに収容された電子部品同士を、フレキシブルフラットケーブル(フレキシブル
ケーブル)を介して接続した、折畳み式の携帯電話機が提供されている(例えば、特許文献１参照)。
【０００３】
図６(ａ)に示す如く、上述した折畳み式の携帯電話機Ａは、本体を構成する下筐体(一
方筐体)Ｂと、蓋体を構成する上筐体(他方筐体)Ｃとを備えており、下筐体Ｂの正面には
複数の操作キーを備えた操作部Ｂａと送話部Ｂｍとが設けられている一方、上筐体Ｃの正面には液晶表示画面Ｃｄと受話部Ｃｒとが設けられている。
【０００４】
上述した下筐体Ｂと上筐体Ｃとは、ヒンジ機構(図示せず)を備えたヒンジ部Ｈを介して、図６(ａ)中に矢印Ｆで示す如く開閉軸線ｘを中心として開閉自在に連結されており、これによって下筐体Ｂと上筐体Ｃとを相対向させて閉じたクローズポジションと、該クローズポジションから下筐体Ｂに対して上筐体Ｃを所定の姿勢角で開いたオープンポジションとを取ることができる。
【０００５】
また、図６(ｂ)に示す如く、上述した折畳み式の携帯電話機Ａにおいては、下筐体Ｂに収容設置した基板(電子部品)Ｅｂと、上筐体Ｃに収容設置されている基板(電子部品)Ｅｃとを、下筐体Ｂと上筐体Ｃとが相対的に開閉動作した場合でも、基板Ｅｂと基板Ｅｃとの電気的な接続が確実に為されるよう、開閉軸線ｘの周りに巻回した柔軟なフレキシブルフラットケーブルＩを介して接続している。
【０００６】
上記フレキシブルフラットケーブルＩは、図７および図８に示す如く、開閉軸線ｘに沿って延びる延在部Ｉａと、この延在部Ｉａの一方側縁ｉから下筐体Ｂに向けて延びる巻回部Ｉｂと、延在部Ｉａの他方側縁ｊから上筐体Ｃに向けて延びる接続部Ｉｃとを有し、巻回部Ｉｂの端部に設けたコネクタＫｂを基板Ｅｂに取付けるとともに、接続部Ｉｃの端部に設けたコネクタＫｃを基板Ｅｃに取付けている。
【０００７】
さらに、上記フレキシブルフラットケーブルＩの巻回部Ｉｂは、延在部Ｉａの一方側縁ｉから開閉軸線ｘに直交して延びるともに、上記延在部Ｉａの周りを同心円状に巻付けられており、下筐体Ｂと上筐体Ｃとの相対的な開閉動作に伴い、ゼンマイが巻かれたり解放されたりする如く挙動することで、上記下筐体Ｂと上筐体Ｃとの開閉動作を邪魔することなく、基板Ｅｂと基板Ｅｃとを電気的に接続している。
【特許文献１】特開２００５−３１１７２８号公報
【発明の開示】
【発明が解決しようとする課題】
【０００８】
ところで、上述した携帯電話機ＡにおけるフレキシブルフラットケーブルＩは、図９および図１０に示す如く、延在部Ｉａの周りに巻回部Ｉｂが巻付けられているので、延在部Ｉａの縁部(他方側縁)ｊが巻回部Ｉｂの内周面Ｉｂｆに臨むこととなる。
【０００９】
このため、下筐体Ｂと上筐体Ｃとの相対的な開閉動作に伴って、巻回部Ｉｂがゼンマイを巻いたり解放したりする如く挙動した際、延在部Ｉａの縁部(他方側縁)ｊと巻回部Ｉｂの内周面Ｉｂｆとが互いに擦れ合うことで、フレキシブルフラットケーブルＩに不用意な損傷が生じることとなり、延いては携帯電話機Ａの動作不良を招いてしまう不都合があった。
【００１０】
一方で、このような不都合を解消するために、延在部Ｉａの縁部ｊと巻回部Ｉｂの内周面Ｉｂｆとが擦れ合わないよう、上記巻回部Ｉｂを緩く巻き付けた場合には、上記巻回部Ｉｂを収容しているヒンジ部Ｈの大型化を招き、延いては携帯電話機Ａ全体の外観形状が不用意に大型化することとなる。
【００１１】
本発明は上述した実状に鑑みて、外観形状の不用意な大型化を招くことなく、一方筐体と他方筐体との開閉動作に伴うフレキシブルフラットケーブルの損傷を可及的に抑制することの可能な電子機器の提供を目的とするものである。
【課題を解決するための手段】
【００１２】
上記目的を達成するべく、請求項１の発明に関わる電子機器は、一方筐体と他方筐体とを互いに開閉自在に連結するとともに、これら一方筐体と他方筐体とに収容された電子部品同士を、開閉軸線の回りに巻回したフレキシブルケーブルを介して接続した電子機器において、フレキシブルケーブルが、開閉軸線に沿って延びる延在部と、この延在部の一方側縁から開閉軸線に直交して延びかつ延在部の周りに巻回される巻回部と、延在部の他方側縁から延びる舌片部とを有し、巻回された巻回部の内周面に倣って舌片部を湾曲させつつ当接させたことを特徴としている。
【００１３】
請求項２の発明に関わる電子機器は、請求項１の発明に関わる電子機器において、フレキシブルケーブルにおける舌片部を、巻回部が延在部から延びる方向と逆方向に沿って延びる態様で、巻回部の内周面に倣って湾曲させつつ当接させたことを特徴としている。
【発明の効果】
【００１４】
請求項１の発明に関わる電子機器によれば、フレキシブルケーブルの延在部に形成した舌片部を、巻回部の内周面に倣って湾曲させつつ当接させたことで、上記巻回部を緩く巻き付けることによる外観形状の大型化を招くことなく、延在部のエッジ(他方側縁)が巻回部の内周面と摺接することに起因するフレキシブルケーブルの損傷を未然に防止することができる。
【００１５】
また、請求項２の発明に関わる電子機器においては、フレキシブルケーブルの延在部に形成した舌片部を、巻回部が延在部から延びる方向と逆方向に沿って延びる態様で、巻回部の内周面に倣って湾曲させつつ当接させたことにより、上記巻回部を緩く巻き付けることによる外観形状の大型化を招くことなく、延在部のエッジ(他方側縁)が巻回部の内周面と摺接することに起因するフレキシブルケーブルの損傷を未然に防止することができる。
【発明を実施するための最良の形態】
【００１６】
以下、実施例を示す図面に基づいて、本発明を詳細に説明する。  
図１および図２は、本発明を電子機器の一態様である携帯電話機に適用した実施例を示しており、この折り畳み式の携帯電話機１は、本体を構成する下筐体(一方筐体)２と、蓋体を構成する上筐体(他方筐体)３とを備え、下筐体２の正面には複数の操作キーを備えた操作部２ａと送話部２ｍとが設けられている一方、上筐体３の正面には液晶表示画面３ｄと受話部３ｒとが設けられている。
【００１７】
上述した下筐体２と上筐体３とは、ヒンジ機構(図示せず)を備えたヒンジ部４を介して、図１(ａ)中に矢印Ｆで示す如く開閉軸線ｘを中心として開閉自在に連結されており、これによって下筐体２と上筐体３とを相対向させて閉じたクローズポジションと、該クローズポジションから下筐体２に対して上筐体３を所定の姿勢角で開いたオープンポジションとを取ることができる。
【００１８】
また、図１(ｂ)に示す如く、上述した折畳み式の携帯電話機１においては、下筐体２に収容設置した基板(電子部品)５と、上筐体３に収容設置されている基板(電子部品)６とを、下筐体２と上筐体３とが相対的に開閉動作した場合でも、基板５と基板６との電気的な接続が確実に為されるよう、開閉軸線ｘの周りに巻回した柔軟なフレキシブルフラットケーブル(フレキシブルケーブル)１０を介して接続している。
【００１９】
上記フレキシブルフラットケーブル１０は、図２および図３に示す如く、開閉軸線ｘに沿って延びる延在部１０Ａと、この延在部１０Ａの一方側縁１０ｉから下筐体２に向けて延びる巻回部１０Ｂと、延在部１０Ａの他方側縁１０ｊから上筐体３に向けて延びる接続部１０Ｃとを有し、巻回部１０Ｂの端部に設けたコネクタ１１を基板５に取付けるとともに、接続部１０Ｃの端部に設けたコネクタ１２を基板６に取付けている。
【００２０】
上記フレキシブルフラットケーブル１０の巻回部１０Ｂは、延在部１０Ａの一方側縁１０ｉから開閉軸線ｘに直交して延びるともに、図４および図５に示す如く上記延在部１０Ａの周りを同心円状に巻付けられており、下筐体２と上筐体３との相対的な開閉動作に伴い、ゼンマイが巻かれたり解放されたりする如く挙動することで、上記下筐体２と上筐体３との開閉動作を邪魔することなく、基板５と基板６とを電気的に接続している。
【００２１】
また、上記フレキシブルフラットケーブル１０には、図３に示す如く、延在部１０Ａの他方側縁１０ｊから、略台形の平面形状を呈する舌片部１０Ｔが突出して形成されている。
【００２２】
上記舌片部１０Ｔは、延在部１０Ａにおける他方側縁１０ｊの端部(図中の右方端部)、詳しくは延在部１０Ａの一方側縁１０ｉから延びる巻回部１０Ｂと開閉軸線ｘを挟んで軸対称と成る位置に、開閉軸線ｘと直交する方向に沿って延在部１０Ａから延びており、その外側縁１０Ｔｓは矩形状(鎖線)の縁部を斜めに削ぎ落した如く傾斜している。
【００２３】
図４および図５に示す如く、上記フレキシブルフラットケーブル１０の巻回部１０Ｂが、延在部１０Ａの周りを同心円状に巻付けられている状態において、上記舌片部１０Ｔは図中の上方に向かって、詳しくは巻回部１０Ｂが延在部１０Ａから延びる方向(図４中の
矢印ｒ)と逆方向に沿って延びる態様で、巻回部１０Ｂの内周面１０Ｂｆに倣って湾曲し
つつ該内周面１０Ｂｆに当接している。
【００２４】
上述した如き構成の携帯電話機１においては、フレキシブルフラットケーブル１０に形成した舌片部１０Ｔを、巻回部１０Ｂの内周面１０Ｂｆに倣って湾曲させつつ当接させたことで、上記巻回部１０Ｂにおける内周面１０Ｂｆに延在部１０Ａのエッジ(他方側縁１
０ｊ)が臨むことを回避し、さらに上記巻回部１０Ｂがゼンマイを巻いたり解放したりす
る如く挙動した際に、延在部１０Ａのエッジ(他方側縁１０ｊ)と巻回部１０Ｂの内周面１０Ｂｆとが互いに擦れ合うことを未然に防いでいる。
【００２５】
このため、下筐体２と上筐体３との相対的な開閉動作に伴って上記巻回部１０Ｂが挙動しても、延在部１０Ａのエッジ(他方側縁１０ｊ)と巻回部１０Ｂの内周面１０Ｂｆとが互いに擦れ合うことで、フレキシブルフラットケーブル１０に不用意な損傷が生じることはなく、もってフレキシブルフラットケーブル１０の損傷に起因する携帯電話機１の動作不良を未然に防止できる。
【００２６】
また、フレキシブルフラットケーブル１０に舌片部１０Ｔを形成したことにより、上記巻回部１０Ｂの巻き付けを小さな径としても、延在部１０Ａのエッジ(他方側縁１０ｊ)と巻回部１０Ｂの内周面１０Ｂｆとが互いに擦れ合うことがないので、上記巻回部１０Ｂを収容しているヒンジ部４の大型化を招くことなく、もって携帯電話機１の可及的な小型化を達成することができる。
【００２７】
さらに、上述した構成の携帯電話機１においては、フレキシブルフラットケーブル１０における舌片部１０Ｔの側縁１０Ｔｓを傾斜させたことで、延在部１０Ａの周りに巻付けられた巻回部１０Ｂの形状が、下筐体２と上筐体３との開閉動作に伴って歪んだ際に、上記舌片部１０Ｔの縁部が飛び出してしまうことを防止でき、もってフレキシブルフラットケーブル１０と周囲の部品との不用意な干渉を未然に防止することができる。
【００２８】
なお、上述した実施例においては、フレキシブルフラットケーブル１０の舌片部１０Ｔを、巻回部１０Ｂが延在部１０Ａから延びる方向と逆方向に沿って延びる態様で、巻回部１０Ｂの内周面１０Ｂｆに倣って湾曲しつつ該内周面１０Ｂｆに当接させているが、上記舌片部１０Ｔを、巻回部１０Ｂが延在部１０Ａから延びる方向と同じ方向に沿って延びる態様で、巻回部１０Ｂの内周面１０Ｂｆに倣って湾曲しつつ該内周面１０Ｂｆに当接させることも可能であり、この態様においても、下筐体２と上筐体３との開閉動作に伴うフレキシブルフラットケーブル１０の損傷を可及的に抑制し得ることは勿論である。
【００２９】
また、上記フレキシブルフラットケーブル１０における舌片部１０Ｔの形態、詳しくは平面形状や延在部１０Ａからの突出寸法等は、上述した実施例にのみ限定されるものではなく、携帯電話機の仕様に基づくフレキシブルフラットケーブルの形状等、様々な条件に伴って適宜に設定することが可能である。
【００３０】
また、上述した実施例においては、一方筐体と他方筐体とを互いに開閉自在に連結した携帯電話機に本発明を適用した例を示したが、例えば周知の回転２軸ヒンジ機構を用いることにより、一方筐体と他方筐体とを開閉自在に連結するとともに、開閉軸と直交する旋回軸を中心として一方筐体と他方筐体とを旋回自在に連結し、一方筐体と他方筐体とに収容された電子部品同士を、開閉軸線の回りと旋回軸線の周りとに巻回したフレキシブルフラットケーブルを介して互いに接続した携帯電話機にも、本発明を有効に適用することが可能である。
【００３１】
さらに、上述した実施例においては、本発明を電子機器の一態様である携帯電話機に適用した例を示したが、一方筐体と他方筐体とを開閉自在に連結するとともに、一方筐体と他方筐体とに収容された電子部品同士を、フレキシブルフラットケーブルにより接続して成る電子機器、例えば、電子辞書やＰＤＡ(パーソナル・データ・アシスタンス)等、携帯電話機以外の様々な電子機器においても本発明を有効に適用し得ることは勿論である。
【図面の簡単な説明】
【００３２】
【図１】(ａ)および(ｂ)は、本発明に関わる電子機器の一実施例である携帯電話機を示す全体外観斜視図および内部透視斜視図。
【図２】実施例の携帯電話機におけるフレキシブルフラットケーブルを用いた基板同士の接続態様を示す概念図。
【図３】(ａ)および(ｂ)は、実施例の携帯電話機におけるフレキシブルフラットケーブルを展開して示す全体平面図および要部平面図。
【図４】実施例の携帯電話機におけるフレキシブルフラットケーブルの要部断面を示す図２中の IV−IV 線断面図。
【図５】実施例の携帯電話機におけるフレキシブルフラットケーブルの要部外観斜視図。
【図６】(ａ)および(ｂ)は、従来の携帯電話機を示す全体外観斜視図および内部透視斜視図。
【図７】従来の携帯電話機におけるフレキシブルフラットケーブルを用いた基板同士の接続態様を示す概念図。
【図８】(ａ)および(ｂ)は、従来の携帯電話機におけるフレキシブルフラットケーブルを展開して示す全体平面図および要部平面図。
【図９】従来の携帯電話機におけるフレキシブルフラットケーブルの要部断面を示す図２中の IV−IV 線断面図。
【図１０】従来の携帯電話機におけるフレキシブルフラットケーブルの要部外観斜視図。
【符号の説明】
【００３３】
１…携帯電話機(電子機器)。
【００３４】
２…下筐体(一方筐体)、
３…上筐体(他方筐体)、
４…ヒンジ部、
５…基板(電子部品)、
６…基板(電子部品)、
１０…フレキシブルフラットケーブル(フレキシブルケーブル)、
１０Ａ…延在部、
１０ｉ…一方側縁、
１０ｊ…他方側縁、
１０Ｂ…巻回部、
１０Ｂｆ…内周面、
１０Ｔ…舌片部、
ｘ…開閉軸線。
【図１】
0004751237.tif 000002
【図２】
0004751237.tif 000003
【図３】
0004751237.tif 000004
【図４】
0004751237.tif 000005
【図５】
0004751237.tif 000006
【図６】
0004751237.tif 000007
【図７】
0004751237.tif 000008
【図８】
0004751237.tif 000009
【図９】
0004751237.tif 000010
【図１０】
0004751237.tif 000011